(57)【特許請求の範囲】
【請求項１】
内部に貯蔵室が形成された断熱箱体と、この断熱箱体の側面に設けられた表示装置とを備えた貯蔵庫において、表示装置は、側面に取り付けられ、側面との間に間隔を存して下部を切り欠いた前板を有した保持具と、この保持具に支持され、各辺の長さがほぼ等しい多角形の表示板と、この表示板の中央に設けられ、表示板表面から軸を介して突出したつまみとを備え、表示板の表面は各辺に対応して複数に区分され、それぞれの区分には貯蔵庫内の複数の状態が表され、保持具には、前板の上縁から下方に軸を通すスリットが形成され、下部には少なくとも表示板の一辺を挟んだ二つの辺により形成される角度とほぼ同様な角度をなし各辺を支持する辺支持部が形成され、且つ保持具下部の前板には、辺支持部が辺を支持している状態にて表示板に表された複数の状態のうち何れか一つの状態を表示させる切欠きが形成されていることを特徴とする貯蔵庫。
【請求項２】
内部に貯蔵室が形成された断熱箱体と、この断熱箱体の側面に設けられた表示装置とを備えた貯蔵庫において、表示装置は、側面に取り付けられ、側面との間に間隔を存して下部を切り欠いた前板を有した保持具と、この保持具に支持され、各辺の長さがほぼ等しい六角形の表示板と、この表示板の中央に設けられ、表示板表面から軸を介して突出したつまみとを備え、表示板の表面は隔辺毎の三辺に対応して三つの表示面に区分され、それぞれの表示面には貯蔵庫内の状態が表され、保持具には、上縁に開口が形成され、前板の上縁開口から下方に軸を通すスリットが形成され、下部に少なくとも表示板の一辺を挟む二つの辺により形成される角度とほぼ同様な角度をなして下方斜めに傾斜し各辺を支持する辺支持部が相対向して形成され、且つ前板の下部には、辺支持部が表示板の辺を支持している状態にて表示板に表された複数の状態のうち何れか一つの状態を表示させる切欠きが形成されていることを特徴とする貯蔵庫。
【請求項３】
内部に貯蔵室が形成された断熱箱体と、この断熱箱体の側面に設けられた表示装置とを備えた貯蔵庫において、表示装置は、側面に取り付けられ、側面との間に間隔を存して上部を切り欠いた前板を有した保持具と、この保持具に支持された円形の表示板と、この表示板の中央に設けられ、表示板表面から軸を介して突出したつまみとを備え、表示板の表面は放射状に複数の表示面に区分され、それぞれの表示面には貯蔵庫内の状態が表され、保持具には、前板の上部に表示面に対応した切欠きが形成され、この切欠きの下部に軸通過口、この軸通過口と連続して斜め下方に延びた軸回動部、この軸回動部に連続して斜め下方に延び、軸の回動を規制する軸支持部が形成されいることを特徴とする貯蔵庫。
【請求項４】
内部に貯蔵室が形成され断熱箱体と、この断熱箱体の側面に設けられた表示装置とを備えた貯蔵庫において、表示装置は、側面に取り付けられ、側面との間に間隔を存して上部を切り欠いた前板を有した保持具と、この保持具に支持された円形の表示板と、この表示板の中央に設けられ、表示板表面から軸を介して突出したつまみとを備え、表示板の表面は放射状に複数の表示面に区分され、それぞれの表示面には貯蔵庫内の状態が表され、且つ軸は表示板の区分面数に対応して多角形に形成され、保持具には、前板の上部に表示面に対応した切欠きが形成され、この切欠きの下部に軸通過口、この軸通過口に連続して斜め下方に延びた軸回動部、この軸回動部に連続して斜め下方に延び、軸の形状とほぼ等しく面積が軸の断面積より僅かに大きい軸支持部が形成されいることを特徴とする貯蔵庫。
【発明の詳細な説明】
【０００１】
【産業上の利用分野】
本発明は可搬式の断熱貯蔵庫或いはプレハブ貯蔵庫等の貯蔵庫に関し、特に表示装置を備えた貯蔵庫に関する。
【０００２】
【従来の技術】
例えば特開平５−２１５４５４号公報には、内部に貯蔵室を形成した低温庫が開示されている。そして、この低温庫は、一般に貯蔵庫内の温度を例えば冷凍貯蔵用（チルド）の温度帯或いは冷蔵貯蔵用の温度帯に変更可能である。また、前記公報の第３図には低温庫の正面図が開示され、低温庫の正面例えば断熱扉の庫外側の面には表示装置が取り付けられている。この表示装置は、第３図にて把手の近くに記載されている矩形のものであり、低温庫内の状態、即ち貯蔵状態が例えば冷凍か冷蔵か、または空かどうかがわかるように取り付けられる。
【０００３】
以下、従来の表示装置について、図面を用いて説明する。
図１７は従来の表示装置を備えた貯蔵庫である可搬式貯蔵庫（以下貯蔵庫という。）の正面図、図１８は従来の表示装置の正面図、図１９は表示装置を取り付けた状態の側面図、図２０及び図２１は表示装置の表示板表示面の変更方法の説明図である。
【０００４】
貯蔵庫１は内部に貯蔵室が形成された断熱箱体２と、この断熱箱体２の一側面に形成された開口を開閉自在に閉塞する例えば観音開き式の２枚の断熱扉３と、断熱箱体２の下面の例えば四隅に取り付けられたキャスター４とを備え、移動可能なものである。そして、一方の断熱扉３には把手３Ａが取り付けられ、他方の断熱扉３には表示装置９０が取り付けられている。
【０００５】
表示装置９０は、断熱扉３に取り付けられて上縁と断熱扉３との間に開口９１Ａを形成するほぼ矩形の保持具（以下ホルダーという）９１と、このホルダー９１に差し込まれるほぼ矩形の表示板９２とから構成されている。ホルダー９１の周縁には断熱扉３との取付部分となるフランジ９１ａが形成され、ホルダー９１の前壁９１ｂと断熱扉３との間には表示板９２の厚さよりも大きい間隔（収納部）が形成されている。また、ホルダー９１の収納部下縁には複数の水抜き用の穴９３がそれぞれほぼ水平に形成されている。
【０００６】
表示板９２の表裏両面は上下に区分され、各面の上下部にはそれぞれ貯蔵室内の状態、即ち貯蔵物の種類が例えば色分けされ且つ具体的に記載されて表示され、表示板９２のほぼ上半分がホルダー９１内に差し込まれ、露出している上半分にて貯蔵室内の状態を表示する。また、表示板９２の左右両側部のほぼ中央には凹所である切欠き９２ａが形成されている。
【０００７】
【発明が解決しようとする課題】
上記従来の表示装置９０において、例えば貯蔵室内の状態が例えば冷凍貯蔵の状態から冷蔵貯蔵の状態に変化したとき、或いは品物の貯蔵状態から空の状態に変化したときには、表示板９２の表示を切り替える必要がある。
このとき、表示板９２をホルダー９１から必ず１度は抜き、表示板９２を図２０に示したように水平方向に回転して表裏反転したり、図２１に示したように上下方向に回転して表裏反転し、その後ホルダー９１に差し込む必要があり、表示の切り替え作業が煩雑になるという問題が発生していた。
【０００８】
また、表示板９２をホルダー９１から抜くときには、作業者は切欠き９２ａを利用して表示板９１を上方へ押し上げるが、表示板９１が断熱扉３の表面或いはホルダーに接触して抜きずらく、一層作業に手間取るという問題が発生する。
さらに、ホルダー９１の収納部下縁には複数の水抜き用の穴９３がそれぞれほぼ水平に形成されているので、ホルダー９１内に侵入した結露等の水がスムーズに流下せずに、特に各水抜き用の穴９３間に残るという問題が発生していた。
【０００９】
【課題を解決するための手段】
本発明は上記課題を解決するために、請求項１の発明は、内部に貯蔵室が形成された断熱箱体２と、この断熱箱体２の側面に設けられた表示装置５とを備えた貯蔵庫において、表示装置５は、側面に取り付けられ、側面との間に間隔を存して下部を切り欠いた前板８を有した保持具（ホルダー）６と、この保持具６に支持され、各辺の長さがほぼ等しい多角形の表示板７と、この表示板の中央に設けられ、表示板表面から軸３２を介して突出したつまみ３１とを備え、表示板７の表面は各辺に対応して複数に区分され、それぞれの区分には貯蔵庫内の複数の状態が表され、保持具６には、上縁に開口６Ａが形成され、前板の上縁から下方に軸を通すスリット２２が形成され、下部には少なくとも表示板７の一辺を挟んで二つの辺により形成される角度とほぼ同様な角度をなし各辺を支持する辺支持部（側板）１２、１４が形成され、且つ保持具下部の前板には、辺支持部が辺を支持している状態にて表示板に表された複数の状態のうち何れか一つの状態を表示させる切欠き２０が形成されている貯蔵庫を提供するものである。
【００１０】
また、請求項２の発明は、内部に貯蔵室が形成された断熱箱体２と、この断熱箱体２の側面に設けられた表示装置５とを備えた貯蔵庫において、表示装置５は、側面に取り付けられ、側面との間に間隔を存して下部を切り欠いた前板８を有した保持具（ホルダー）６と、この保持具６に支持され、各辺の長さがほぼ等しい六角形の表示板７と、この表示板７の中央に設けられ、表示板表面から軸３２を介して突出したつまみ３１とを備え、表示板の表面は隔辺毎の三辺２４、２６、２８に対応して三つの表示面に区分され、それぞれの表示面には貯蔵庫内の状態が表され、保持具６には、前板の上縁から下方に軸を通すスリット２２が形成され、下部に少なくとも表示板の一辺を挟む二つの辺により形成される角度とほぼ同様な角度をなして下方斜めに傾斜し各辺を支持する辺支持部（側板）１２、１４が相対向して形成され、且つ前板の下部には、辺支持部が表示板の辺を支持している状態にて表示板に表された複数の状態のうち何れか一つの状態を表示させる切欠き２０が形成されている貯蔵庫を提供するものである。
【００１１】
また、請求項３の発明は、内部に貯蔵室が形成された断熱箱体２と、この断熱箱体２の側面に設けられた表示装置５５とを備えた貯蔵庫において、表示装置５５は、側面に取り付けられ、側面との間に間隔を存して上部を切り欠いた前板５８を有した保持具（ホルダー）５６と、この保持具５６に支持された円形の表示板５７と、この表示板５７の中央に設けられ、表示板表面から軸７３を介して突出したつまみ７２とを備え、表示板の表面は放射状に複数の表示面７ａ、７ｂ、７ｃ、７ｄに区分され、それぞれの表示面には貯蔵庫内の状態が表され、保持具５６には、前板５８の上部に表示面に対応した切欠き６５が形成され、この切欠き５６の下部に軸通過口７０Ａ、この軸通過口と連続して斜め下方に延びた軸回動部７０、この軸回動部７０に連続して斜め下方に延び、軸の回動を規制する軸支持部７１が形成されいる貯蔵庫を提供するものである。
【００１２】
また、請求項４の発明は、内部に貯蔵室が形成され断熱箱体２と、この断熱箱体２の側面に設けられた表示装置５５とを備えた貯蔵庫において、表示装置５５は、側面に取り付けられ、側面との間に間隔を存して上部を切り欠いた前板５８を有した保持具（ホルダー）５６と、この保持具５６に支持された円形の表示板５７と、この表示板５７の中央に設けられ、表示板表面から軸７３を介して突出したつまみ７２とを備え、表示板の表面は放射状に複数の表示面７ａ、７ｂ、７ｃ、７ｄに区分され、それぞれの表示面には貯蔵庫内の状態が表され、且つ軸７３は表示板の区分面数に対応して多角形に形成され、保持具５６には、前板の上部に表示面に対応した切欠き６５が形成され、この切欠きの下部に軸通過口７０Ａ、この軸通過口に連続して斜め下方に延びた軸回動部７０、この軸回動部７０に連続して斜め下方に延び、軸７３の形状とほぼ等しく面積が軸の断面積より僅かに大きい軸支持部７１が形成されいる貯蔵庫を提供するものである。
【００１３】
【発明の実施の形態】
以下、請求項１の発明にかかる貯蔵庫の第１の実施例を図面に基づいて詳細に説明する。尚、図１７に示した従来の貯蔵庫と同様の構成のものには、同符号を付し、その詳細な説明は省略する。
図１は貯蔵庫の正面図、図２は表示装置の正面図、図３は表示装置を取り付けた状態の側面図、図４はホルダー（保持具）の正面図、図５は表示板の正面図、図６は表示板の側面図、図７は表示板による表示切り替え方法の説明図、図８は表示板の抜き差し時のホルダーとの関係の説明図である。
【００１４】
５は貯蔵庫１の一側面である断熱扉３の外面に取り付けられた表示装置であり、この表示装置５は、ホルダー６と平板状の表示板７とから構成されている。
ホルダー６は例えばステンレス板を切断及び折曲して形成されており、前板８と、この前板８の左右両側縁から後方へ折曲して延びた周壁である側板１１、１２、１３、１４と各側板１１、１２、１３、１４から外側へ折曲して形成されたフランジ１５、１６、１７、１８とから構成され、側板１１と側板１２、側板１３と側板１４、フランジ１５とフランジ１６、フランジ１７とフランジ１８とは連続して形成されている。そして、側板１１と側板１３とは平行に形成され、辺支持部となる側板１２及び側板１４は下方へ向け互いの間隔が小さくなるように内側へ傾斜している。また、ホルダー６の上縁には側板１１上端と側板１３上端との間に開口６Ａが形成されている。ホルダー６の、各フランジ１５、１６、１７、１８は例えば複数のリベット４４によって断熱扉３に固定されている。
【００１５】
前板８の下部には側板１２と側板１４との間に前板８の下縁である上方へ窪んだ切欠き２０が形成され、この切欠き２０の下方が表示部２１になる。切欠き２０は中央上縁２０１及び左右の傾斜縁２０２、２０３からなり、傾斜縁２０２、２０３のなす角度は後述する表示板７の分割角度とほぼ等しいほぼ１２０゜に形成されている。また、前板８のほぼ中央には上縁から下方へスリット２２が形成されている。
【００１６】
表示板７は例えば樹脂、木等にて形成されており、６辺２３乃至２８の長さがほぼ等しい六角形であり、厚さはホルダー６の前板８と扉３との間隔より小さい。表示板７の表面には、中心から各辺のうち２辺毎の辺２３、２５、２７の中央まで延びた３本の分割帯３０がほぼ１２０゜毎に設けられている。分割帯３０は例えば白色あるいは黒色であり、表示板が白の樹脂の場合には白のむきだし、また、その他の白色あるいは黒色以外の材質の場合には、白色あるいは黒色に印刷あるいは塗装されている。そして、これらの分割帯３０により表示板表面は辺２４、２６、２８に対応して第１、第２、第３の表示面７ａ、７ｂ、７ｃに等分割されている。各表示面７ａと７ｂと７ｃはそれぞれ色分けされており、例えば第１の表示面７ａは黄色、第１の表示面７ａと時計回り方向隣の第２の表示面７ｂは青色、隣り合った第３の表示面７ｃは赤に印刷あるいは塗装されている。また、図２及び図５に示したように第１の表示面７ａには“チルド以外”と記載され、第２の表示面７ｂには“チルド在中”と記載され、第３の表示面７ｃには“空”と記載されている。
【００１７】
表示板７の中央には、表示面から突出したつまみ３１が軸３２を介して取り付けられている。そして、表示板７をホルダー６内に収納している状態では、このつまみ３１はホルダー７より前方に突出しているとともに、軸３２とスリット２２の下端２２Ａとの間には僅かな間隔が形成されている。また、軸３２の直径はスリット２２の幅より僅かに小さい。
【００１８】
さらに、表示板７は、対角線の寸法Ｌ１が、ホルダー６の開口幅である側壁１１と側壁１３の間隔Ｌより僅かに小さくなるように形成されている。また、側壁１２と側壁１４との角度、すなわち、各側壁の下方への延長線が成す角度はほぼ６０゜であり、表示板７の各辺２３、２５、２７による角度、すなわち各辺２３、２５、２７の延長線により形成される角度とほぼ等しい。このため、表示板７をホルダー６に収納した場合には、側壁１２及び側壁１４が辺支持部として作用して表示板７の辺２３、辺２５あるいは辺２７が側壁１２及び側壁１４に沿って支持される。
【００１９】
以下、表示装置５による貯蔵庫１内の状態表示について説明する。
例えば貯蔵庫１に冷凍食品を貯蔵している場合には、図２に示したように、辺２６を下にして第２の表示面７ｂが表示部２１に位置し、“チルド在中”と表示され、スリット２２の後方に分割帯３０が位置している。そして、このとき、表示板７の各辺のうち下辺となっている辺２６を挟んだ長辺２５、２７が側板１２、１４に沿って支持され、第１、第３の表示面７ａ、７ｃは前板８に覆われている。このため、貯蔵庫１の使用者は、第２の表示面７ｂの色を見て貯蔵庫１内に冷凍食品が入っていることを知ることができる。また、第２の表示面７ｂの“チルド在中”という記載を確認することによって、確実に貯蔵庫１内の状態を知ることができる。
【００２０】
上記のように、貯蔵庫１に冷凍食品が貯蔵されている状態から貯蔵物が総て搬出されて貯蔵庫１内が空になったときには、使用者が表示装置５の表示を切り替える。以下、表示の切り替え操作について説明する。
まず、使用者は、つまみ３１を持ち、図７に矢印▲１▼で示したように軸３２をスリット２２に沿って上方へ移動させ、つまみ３１及び表示板７を上方へ持ち上げる。表示板７を持ち上げると、表示板７の周縁とホルダー６の側板１２、１４との間に空間が形成される。この空間及び表示板７の周縁と側板１１、１３との空間を利用して図７に矢印▲２▼で示したようにホルダー６内で表示板７を反時計方向にほぼ１２０゜回転させると、辺２８が下になり、表示部２１の表示が第２の表示面７ｂから第３の表示面７ｃに替わり、空になったことを表す赤の面が表示部２１に表れる。そして、つまみ３１及び表示板７を下げることにより、第３の表示面７ｃのほぼ全体が表示部２１に現れ、“空”を表す赤が表示される。また、表示板７の周縁の辺２７、２３がそれぞれ側板１２、１４に沿って支持される。
【００２１】
表示部２１の赤の表示によって使用者は、その後も貯蔵庫１が空の状態であることを容易に確認することが可能になる。そして、第３の表示面７ｃに記載されている“空”の記載を確認することによって一層確実に貯蔵庫１内の状態を確認することができる。また、色によって貯蔵庫１内の状態がわからなかった場合にも“空”の記載によって貯蔵庫１内の状態を知ることができる。
【００２２】
また、貯蔵庫１内の状態が例えば空の状態から貯蔵物が搬入されて例えば冷蔵物の貯蔵状態に替わったときには、使用者は表示装置５の表示を例えば第３の表示面７ｃの“空”から第１の表示面７ａの“チルド以外”の表示に切り替える。このときも、上記表示の切り替えと同様に使用者がつまみ３１を持ち、つまみ３１及び表示板７を持ち上げる。表示板７を持ち上げると、表示板７の周縁とホルダー６の側板１２、１４との間に空間が形成される。この空間を利用して図７に示したようにホルダー６内で表示板７を時計方向にほぼ１２０゜回転させると、辺２４が下になり、表示部２１の表示が第３の表示面７ｃから第１の表示面７ａに替わり、チルド以外の貯蔵状態になったことを表す黄色の面が表示部２１に表れる。そして、つまみ３１及び表示板７を下げることにより、第１の表示面７ａのほぼ全体が表示部２１に現れ、“チルド以外”を表す黄色が表示される。また、表示板７の周縁の辺２３、２５がそれぞれ側板１２、１４に沿って支持される。
【００２３】
表示部２１の黄色の表示によって使用者は、その後も貯蔵庫１にチルド以外の冷蔵物が貯蔵されている状態であることを容易に確認することが可能になる。そして、第１の表示面７ａに記載されている“チルド以外”の記載を確認することによって一層確実に貯蔵庫１内の状態を確認することができる。また、色によって貯蔵庫１内の状態がわからなかった場合にも“チルド以外”の記載によって貯蔵庫１内の状態を知ることができる。
【００２４】
さらに、貯蔵庫１内の貯蔵状態が、チルド以外のものの貯蔵から空の状態になったとき、チルドのものの貯蔵からチルド以外のものの貯蔵になったとき、あるいは、チルド以外のものの貯蔵からチルドのものの貯蔵になったときには、使用者は、上記表示の切替時と同様につまみ３１を持ち、つまみ３１及び表示板７を持ち上げる。そして、表示板７の周縁とホルダー６の側板１１、１２、１３、１４との間の形成された空間を利用して表示板７を図７に矢印で示したようにホルダー６内で時計方向或いは反時計方向に回転させることにより、下部の表示部２１の表示が切り替わり、表示部２１に貯蔵庫１の貯蔵状態に合った表示が行われる。
【００２５】
次に、表示板７のホルダー６への出し入れについて説明する。
表示板７をホルダー６から出す場合には、図８に示したように表示板７の軸３２をスリット２２に沿わせ、矢印にて示したように表示板７を上方に平行に移動させ、開口６Ａから出す。また、表示板７をホルダー６に入れる場合には、表示する面を下にして下部を開口６Ａからホルダー６内へ差し込み、軸３２をスリット２２の上端に位置させる。そして、軸３２をスリット２２に沿わせ下方へ移動させることによって、表示板７をさらに下方へ移動させて表示板７全体をホルダー６内に入れ、表示面７の表示したい面を下にして表示板７の２辺を側板１２、１４に支持させる。
【００２６】
上記実施例によれば、貯蔵庫１内の貯蔵状態が変わったときには、使用者は、つまみ３１を持ち、軸３２をスリット２２に沿わせ、つまみ３１及び表示板７を持ち上げ、表示板７の周縁とホルダー６の側板１１、１２、１３、１４との間に形成された空間を利用して表示板７を図７に矢印で示したようにホルダー６内で時計方向或いは反時計方向に回転させることにより、表示板７をホルダー６から抜き出さなくとも、下部の切欠き２０に対応した表示部２１の表示を切り替えることができ、表示部２１の表示を貯蔵庫１の貯蔵状態に合った表示に容易に変更することができる。
【００２７】
また、表示板７には、各表示面７ａ、７ｂ、７ｃがそれぞれ色分けされており、例えば第１の表示面７ａは黄色、第１の表示面７ａから時計回り方向隣の第２の表示面７ｂは青色、その隣りの第３の表示面７ｃは赤であり、図２及び図５に示したように第１の表示面７ａには“チルド以外”と記載され、第２の表示面７ｂには“チルド在中”と記載され、第３の表示面７ｃにはそれぞれ“空”と記載されているので、例えば“チルド在中”と“チルド以外”との表示切り替えには表示板６をほぼ１２０゜回転させるだけで表示を切り替えることができるとともに、“チルド在中”及び“チルド以外”と“空”との切り替え時にも表示板６をほぼ１２０゜回転させるだけで表示を切り替えることができ、この結果、何れの表示切り替えも表示板６をほぼ１２０゜回転させるのみで容易に行うことができる。
【００２８】
また、表示を変更した後、つまみ３１をスリット２２に沿って下げることにより、表示板７が下方へ移動し、表示面７ａ、７ｂ、７ｃに対応した辺２４、２６、２８を挟む辺２３、２５あるいは辺２７がホルダー６の下部に形成された側板１２、１４に沿って支持されるため、その後貯蔵庫１を移動させるとき等に、振動した場合にも、ホルダー６内で表示板７が横方向に摺動してずれることを極力防止でき、表示部２１にて貯蔵庫内の状態を切欠き２０下方の表示部２１を介して確実に表示することができる。
【００２９】
また、前板８には、スリット２２がほぼ中央から上方に開口６Ａまで形成され、スリット２２の長さは、表示板７の相対向した辺間の寸法のほぼ半分以上であるので、貯蔵庫１が輸送車に載置され移動しているときに振動で表示板７が上方に摺動しても、軸３２はスリット２２内に位置し、つまみ３１がスリット２２から外れることを回避でき、表示板７がホルダー６から外れること防止することができる。
【００３０】
さらに、ホルダー６には、下部に切欠き２０が形成され、表示部２１のために開口しているので、切欠き２０、及び側板１２、１４の下端がホルダー６内の水の排出口として作用し、ホルダー６内に侵入した結露などの水は、側板１２、１４に案内され、側板１２、１４の下端あるいは前板８下縁の切欠き２０からホルダー６外にスムーズに流出し、ホルダー６内に水が残ることをほぼ確実に防止できる。
【００３１】
以下、請求項３及び請求項４の発明にかかる貯蔵庫の第２の実施例を図面に基づいて詳細に説明する。尚、第１７図に示した従来の貯蔵庫と同様の構成のものには、同符号を付し、その詳細な説明は省略する。
図９は貯蔵庫の正面図、図１０は表示装置の正面図、図１１は表示装置を取り付けた状態の側面図、図１２はホルダー（保持具）の正面図、図１３は表示板の正面図、図１４は表示板の側面図、図１５は表示板による表示切り替え方法の説明図、図１６は表示板の抜き差し時のホルダーとの関係の説明図である。
【００３２】
５５は貯蔵庫１の一側面である断熱扉３の外面に取り付けられた表示装置であり、この表示装置５５は、ホルダー５６と平板状の表示板５７とから構成されている。
ホルダー５６は例えばステンレス板を切断及び折曲して形成されており、前板５８と、この前板５８の両側縁及び下縁から後方へ折曲して延びた周壁である側板６０、６１、６２と各側板６０、６１、６２から外側へ折曲して形成されたフランジ６３、６４、６５とから構成され、側板６０と側板６１と側板６２、フランジ６３とフランジ６４とフランジ６５とは連続して形成されている。そして、側板６０と側板６１とは平行に形成され、側板６２には左右に水抜き穴６２ａが形成されている。
【００３３】
また、ホルダー５６の上部には前板５８をほぼ逆三角形に切り欠いた切欠き６５が形成され、この切欠き６５によって開口６６およびほぼ逆三角形の表示部６７が形成されている。切欠き６５は左右傾斜縁６５Ａ、６５Ｂからなり、左右傾斜縁６５Ａ、６５Ｂは後述する表示板７の分割角度とほぼ等しい９０゜に形成されている。そして、切欠き６５の下部には、後述する表示板５７の軸回動部７０が切欠き６５と連続して形成され、さらに、前板５８のほぼ中央には、軸回動部７０から斜め左下方に連続して軸支持部７１が形成されている。軸支持部７１は一辺を軸回動部７０との連続部とするほぼ正方形であり、三辺７１１、７１２、７２３の長さはほぼ等しく各辺はほぼ直角に交差している。また、ホルダー５６の、各フランジ６３、６４、６５は例えば複数のリベット４４によって断熱扉３に固定されている。
【００３４】
表示板５７は例えば樹脂、木等にて形成されており、円形であり、厚さはホルダー５６の前板５８と扉３との間隔より小さい。表示板５７の表面は、中心部を除き、放射状に９０゜ごとに分割されており、表示板表面は第１、第２、第３及び第４の表示面７ａ、７ｂ、７ｃ及び７ｄに等分割されている。各表示面７ａと７ｂと７ｃ及び７ｄはそれぞれ色分けされており、例えば第１の表示面７ａは黄色、第１の表示面７ａと反時計回り方向隣の第２の表示面７ｂは青色、第１、第２の表示面７ａ、７ｂと隣り合った第３、第４の表示面７ｃ、７ｄは赤に印刷あるいは塗装されている。また、表示板５７の表面には第１、第２、第３及び第４の表示面７ａ、７ｂ、７ｃ及び７ｄを仕切る表示境界線７７が記載されている。さらに、図１０及び図１３に示したように第１の表示面７ａには“チルド以外”と記載され、第２の表示面７ｂには“チルド在中”と記載され、第３、第４の表示面７ｃ、７ｄには“空”と記載されている。
【００３５】
表示板５７の中央には、表示面から突出したつまみ７２が軸７３を介して取り付けられている。そして、つまみ７２は例えば正方形をしており、軸７３の断面はつまみ７２の面積より小さい正方形をしている。軸７３の断面の各辺の長さは前板５８の軸支持部７１の各辺及び軸回動部７０上部の軸通過口７０Ａの幅より僅かに小さく、軸７３の対角線は表示境界線７７とほぼ４５℃ずれ、軸７３は各辺の延長線が表示境界線７７と平行になるように表示板５７に取り付けられている。表示板５７がホルダー５６内に収納され支持されてる状態では、つまみ７２はホルダー７より前方に突出しているとともに、軸７３が軸支持部７１に支持されている。
【００３６】
さらに、表示板５７は、直径Ｌ２が、ホルダー６の開口幅である側壁６０と側壁６１の間隔Ｌ３より小さく形成され、上記のように表示板５７をホルダー５６内に収納して支持している状態では、表示板５７の右端と側板６０との間には、表示板５７の斜め右上方、すなわち軸７３の軸回動部７０への移動を可能にする間隔Ｌ４が形成されている。
【００３７】
以下、表示板５７による貯蔵庫１内の状態表示について説明する。
例えば貯蔵庫１に冷凍食品を貯蔵している場合には、図１０に示したように、第２の表示面７ｂが表示部６７に位置し、“チルド在中”と表示される。このとき、表示板７の軸７３が軸支持部７１に支持され、第１、第３及び第４の表示面７ａ、７ｃ及び７ｄは前板５８に覆われている。このため、貯蔵庫１の使用者は、第２の表示面７ｂの色を見て貯蔵庫１内に冷凍食品が入っていることを知ることができる。また、第２の表示面７ｂの“チルド在中”という記載を確認することによって、確実に貯蔵庫１内の状態を知ることができる。
【００３８】
上記のように、貯蔵庫１に冷凍食品が貯蔵されている状態から貯蔵物が総て搬出されて貯蔵庫１内が空になったときには、使用者が表示装置５の表示を切り替える。以下、表示の切り替え操作について説明する。
まず、使用者は、つまみ７２を持ち、図１５に矢印Ａにて示したように軸７３を斜め右上方へ移動させると、軸７３は軸支持部７１から外れ、軸回動部７０へ移動する。軸回動部７０では、軸７３と軸回動部７０の周縁との間に間隔が形成され、この間隔を利用して図１５に矢印Ｂにて示したようにホルダー５６内で表示板５７を時計方向にほぼ９０゜回転させると、表示部６７の表示が第２の表示面７ｂから第３の表示面７ｃに替わり、空になったことを表す赤の面が表示部６７に表示される。そして、つまみ７２及び表示板５７を斜め左下方へ下げることにより、軸７３が軸支持部７１へ移動して支持され回動が規制される。
【００３９】
表示部２１の赤の表示によって使用者は、その後も貯蔵庫１が空の状態であることを容易に確認することが可能になる。そして、第３の表示面７ｃに記載されている“空”の記載を確認することによって一層確実に貯蔵庫１内の状態を確認することができる。また、色によって貯蔵庫１内の状態がわからなかった場合にも“空”の記載によって貯蔵庫１内の状態を知ることができる。
【００４０】
また、貯蔵庫１内の状態が例えば空の状態から貯蔵物が搬入されて例えば冷蔵物の貯蔵状態に替わったときには、使用者は表示装置５の表示を例えば第３の表示面７ｃの“空”から第１の表示面７ａの“チルド以外”の表示に切り替える。このときも、上記表示の切り替えと同様に使用者がつまみ７２を持ち、軸７３を軸回動部７０へ斜め左上方へ移動させると、軸７３は軸支持部７１から外れ、軸回動部７０へ移動する。軸回動部７０にて、軸７３と軸回動部７０の周縁との間隔を利用して図１５に矢印Ｂにて示したようにホルダー５６内で表示板５７を時計方向あるいは反時計方向にほぼ１８０゜回転させると、表示部６７の表示が第３の表示面７ｃから第１の表示面７ａに替わり、チルド以外の貯蔵状態になったことを表す黄色の面が表示部６７に表示される。そして、つまみ７２及び表示板５７を斜め下方へ下げることにより、軸７３が軸支持部７１へ移動して支持され、回動が規制される。
【００４１】
また、表示部６７に第４の表示面７ｄが位置し“空”の状態が表示されているとき、表示部６７の表示を第１の表示面７ａである“チルド以外”に変更する場合には、上記のようにつまみ７２を持ち、軸７３を軸支持部７１から軸回動部７２へ移動させ、表示板５７を時計方向にほぼ９０゜回転することにより、表示部６７の表示は第４の表示面７ｄから黄色の第１の表示面７ａに切り替わる。
【００４２】
表示部６７の黄色の表示によって使用者は、その後も貯蔵庫１にチルド以外の冷蔵物が貯蔵されている状態であることを容易に確認することが可能になる。そして、第１の表示面７ａに記載されている“チルド以外”の記載を確認することによって一層確実に貯蔵庫１内の状態を確認することができる。また、色によって貯蔵庫１内の状態がわからなかった場合にも“チルド以外”の記載によって貯蔵庫１内の状態を知ることができる。
【００４３】
さらに、貯蔵庫１内の貯蔵状態が、チルド以外のものの貯蔵から空の状態になったとき、チルドのものの貯蔵からチルド以外のものの貯蔵になったとき、あるいは、チルド以外のものの貯蔵からチルドのものの貯蔵になったときには、使用者は、上記表示の切替時と同様につまみ７２を持ち、つまみ７２及び表示板５７を斜め上方へ持ち上げる。そして、表示板５７の周縁とホルダー５６の側板６０、６１、６２との間に形成された間隔、軸７３と軸回動部７０との間隔を利用して表示板５７を図１５に矢印Ｂで示したようにホルダー５６内で時計方向或いは反時計方向に回転させることにより、上部の表示部６７の表示が切り替わり、表示部６７に貯蔵庫１の貯蔵状態に合った表示が行われる。
【００４４】
次に、表示板５７のホルダー５６への出し入れについて説明する。
表示板５７をホルダー５６から出す場合には、図１６に矢印Ｃにて示したように表示板５７を斜め右上方へ移動させ、軸７３を軸支持部７１から軸回動部７０に移動させる。そして、矢印Ｄにて示したように表示板５７をほぼ４５゜回転させて表示境界線７７がほぼ垂直になるようにする。この表示板５７の状態で軸７３の相対向した２辺はほぼ垂直になり、軸通過口７０Ａを通過可能になる。この状態で図１６の矢印Ｅにて示したように表示板５７を上方に平行に移動させると、軸７３は軸通過口７０Ａを通過し、表示板５７はホルダー５６から取り出される。  表示板５７をホルダー５６に入れる場合には、表示境界線７７をほぼ垂直にして表示板５７の下部を開口６６からホルダー５６内へ差し込み下方へ移動させる。このように移動させることにより、上記表示板５７の取り出し時と同様に軸７３は軸通過口７０Ａを通過し、軸回動部７０に入る。そして、軸７３が軸回動部７０に位置している状態で表示板５７を回転させ、表示したい表示面を表示部６７に表示させてから表示板５７を斜め左下方へ移動させ、軸７３を軸支持部７１に支持させる。軸７３が軸支持部７１にあるとき、軸７３の回動は軸支持部７１に規制される。
【００４５】
上記実施例によれば、貯蔵庫１内の貯蔵状態が変わったときには、使用者は、つまみ７２を持ち、つまみ７２及び表示板５７を斜め上方へ持ち上げ、軸７３をホルダー６の軸支持部７１から外し軸回動部７０に位置させ、表示板５７を図１５に矢印Ｂで示したようにホルダー５６内で時計方向或いは反時計方向に回転させることにより、表示板５７をホルダー５６から抜き出さなくとも、上部の切欠き６５に対応した表示部６７の表示を切り替えることができ、表示部６７の表示を貯蔵庫１の貯蔵状態に合った表示に容易に変更することができる。
【００４６】
また、表示板５７には、各表示面７ａ、７ｂ、７ｃ、及び７ｄがそれぞれ色分けされており、例えば第１の表示面７ａは黄色、第１の表示面７ａと反時計回り方向隣の第２の表示面７ｂは青色、第１、第２の表示面７ａ、７ｂの隣りの第３、第４の表示面７ｃ，７ｄは赤であり、図１０及び図１３に示したように第１の表示面７ａには“チルド以外”と記載され、第２の表示面７ｂには“チルド在中”と記載され、第３、第４の表示面７ｃ，７ｄにはそれぞれ“空”と記載されているので、例えば“チルド在中”と“チルド以外”との表示切り替えには表示板６をほぼ９０゜回転させるだけで表示を切り替えることができるとともに、“チルド在中”及び“チルド以外”から“空”への切り替え時にも表示板６をほぼ９０゜回転させるだけで表示を切り替えることができ、この結果、“空”から“チルド在中”あるいは“チルド以外”への切り替え時を除いて表示切り替えを表示板６をほぼ９０゜回転させるのみで容易に行うことができる。
【００４７】
また、表示を変更した後、つまみ７２を斜め左下に移動させ、軸７３を軸回動部７０から軸支持部７１に移動させることにより、軸７３は軸支持部７１によって支持され、軸７３の回動は軸支持部７１によって規制されるため、その後貯蔵庫１を移動させるとき等に振動した場合にも、ホルダー５６内で表示板５７が横あるいは上下方向に摺動してずれたり、回転することを極力防止でき、貯蔵庫内の状態を切欠き６５上方の表示部６７を介して確実に継続して表示することができる。
【００４８】
また、前板５８には、切欠き６５の下部から軸回動部７０及び軸支持部７１が斜め下方に連続して形成され、しかも、軸回動部７０の上部軸通過口７０Ａの幅は軸７３の対角線より長く各辺の長さより僅かに小さいため、貯蔵庫１が輸送車に載置され移動しているときに振動で表示板５７に上に力が加わっても、軸７３は軸支持部７１あるいは軸回動部７０内に位置し、軸７３が軸回動部７０から外れることを回避でき、表示板５７がホルダー５６から外れること防止することができる。
【００４９】
なお、本発明は上記第１、第２の実施例に限定されるものではなく、特許請求の範囲に記載された本発明の要旨内においては、種々の変更を行うことが可能である。
上記各実施例において、貯蔵庫１は移動可能なコールドロールボックスであったが、例えば設置されているプレハブ冷蔵庫、プレハブ冷凍庫、保冷ボックス等の内部の状態が外から確認できない貯蔵庫に上記表示装置５を取り付けてもよい。
【００５０】
また、例えば表示板の各表示部の色の配置及び色の使用、あるいは各表示部の表示状態は上記実施例に限定されるものではなく、表示部の色として上記実施例の３色以外の色を用いても良く、また、例えば貯蔵庫１の内部状態の表示として表示部を白色としてもよい。
また、上記第１の実施例においては、表示板７は正六角形であったが、表示板の形状は上記実施例に限定されるものではなく、表示板は例えば五角形、または、六角形以上の正多角形、例えば八角形等であってもよい。ここで、表示面にて表示する状態が上記第１の実施例のように例えば３種類の場合には、表示板の表示面の切り替えの容易さ、及び表示しているときの安定性から六角形が好ましい。
【００５１】
また、上記第２の実施例において、表示板５７の表示面の区分数は限定されるものではなく、表示する表示状態の数に応じて増減し、それに応じて軸支持部７１及び軸３７の形状は変化する。例えば、表示面を６の表示面に区分した場合には、軸支持部及び軸は六角形になる。ここで、表示面にて表示する状態が上記第２の実施例のように例えば３種類、あるいは４種類の場合には、表示板の表示面の切り替えの容易さ、及び表示しているときの安定性の確保、特に振動が発生したときに表示板の回動を極力防止するために、表示板５７を４つの表示面に区分するのが好ましい。
【００５２】
また、図１０に二点鎖線にて示したように、ホルダー５６の下部を半円に近い弧状に形成し、その最下部に水抜き穴８０を形成しても良く、このように形成した場合には、ホルダー５６の材料を削減してコストの削減を図ることができるとともに、ホルダー５６内の水を水抜き穴８０からスムーズに排出することができる。
【００５３】
さらに、軸７３が軸支持部７１に位置しているとき、表示板５７の下端が側板６２に支持され、軸７３は軸支持部７１に支持されていなく、回動のみが規制されていてもよい。
【００５４】
【発明の効果】
本発明は上記実施例のように構成された貯蔵庫であり、請求項１の発明によれば、貯蔵庫内の貯蔵状態が変わったときには、使用者或いは管理者等は、つまみを持ち、軸をスロットに沿わせ、つまみ及び表示板を持ち上げ、表示板の周縁とホルダー（保持具）の下部周壁との間に形成された空間を利用して表示板をホルダー内で時計方向或いは反時計方向に回転させることにより、表示板をホルダーから抜き出さなくとも、下部の切欠きによる表示を切り替えることができ、切欠きの表示を貯蔵庫の貯蔵状態に合った表示に容易に変更することができる。
【００５５】
また、表示を変更した後、つまみを持ち軸をスリットに沿って下げることにより、表示板が下方へ移動し、表示板の辺がホルダーの下部に形成された辺支持部に沿って支持されるため、その後貯蔵庫を移動させるとき等に、振動した場合にも、ホルダー内で表示板が横方向に摺動してずれることを極力防止でき、表示部にて貯蔵庫内の状態を切欠き下方の表示部を介して確実に表示することができる。
【００５６】
また、前板には、スリットが上縁開口から下方に形成されているので、貯蔵庫が振動して表示板が上方に摺動しても、軸はスリット内に位置し、軸がスリットから外れることを極力回避でき、表示板がホルダーから外れること防止することができる。
さらに、ホルダーには、前板の下部に切欠きが形成され、開口しているので、この切欠きがホルダー内の水の排出口として作用し、ホルダー内に侵入した結露などの水は、辺支持部あるいは前板に案内され、切欠きからホルダー外にスムーズに流出し、ホルダー内に水が残ることをほぼ確実に防止できる。
【００５７】
請求項２の発明によれば、表示板には、隔辺毎の三つに区分されているので、表示板をほぼ１２０゜回転させるだけでそれぞれ隣り合った表示面の表示を切り替えることができ、この結果、何れの表示切り替えも表示板をほぼ１２０゜回転させるのみで容易に行うことができる。また、表示板を上方へ移動させるのみでホルダー上縁の開口を介して容易に表示板を交換することができる。
【００５８】
また、前板には、スリットがほぼ中央から上方に開口まで形成され、スリットの長さは、表示板の相対向した辺間の寸法のほぼ半分以上であるので、貯蔵庫が輸送中に振動して表示板が上方に摺動しても、軸はスリット内に位置し、軸がスリットから外れることを回避でき、表示板がホルダーから外れること防止することができる。
【００５９】
また、表示を変更した後、つまみ及び表示板を下げることにより、表示板の周縁の二辺がホルダーの下部の辺支持部に沿って支持されるため、その後貯蔵庫を移動させるとき等に、貯蔵庫が振動した場合にも、ホルダー内で表示板が摺動することを極力防止でき、その後も切欠きを介して貯蔵庫内の状態を確実に表示することができる。
【００６０】
さらに、ホルダーには、前板の下部に表示用の切欠きが形成されしているので、この切欠きがホルダー内の水の排出口として作用し、ホルダー内に侵入した結露などの水は、辺支持部あるいは前板に案内され、切欠きからホルダー外にスムーズに流出し、ホルダー内に水が残ることをほぼ確実に防止できる。
また、請求項３の発明によれば、貯蔵庫内の貯蔵状態が変わったときには、使用者は、つまみを持ち、つまみ及び表示板を斜め上方へ持ち上げ、軸をホルダーの軸支持部から外し軸回動部に位置させ、表示板をホルダー内で時計方向或いは反時計方向に回転させることにより、表示板をホルダーから抜き出さなくとも、上部の切欠きに対応した表示部の表示を切り替えることができ、表示部の表示を貯蔵庫の貯蔵状態に合った表示に容易に変更することができる。
【００６１】
また、表示板には、各表示面に放射状に区分されているので、表示切り替えには表示板をほぼ少なくとも区分された角度分回転させるだけで、容易に行うことができる。
また、表示を変更した後、つまみを移動させ、軸を軸回動部から軸支持部に移動させることにより、軸は軸支持部によって支持され、軸の回動は軸支持部によって規制されるため、その後貯蔵庫が振動した場合にも、ホルダー内で表示板が横方向に摺動してずれたり、回転することを極力防止でき、貯蔵庫内の状態を切欠き上方の表示部を介して継続して表示することができる。
【００６２】
さらに、請求項４の発明によれば、貯蔵庫内の貯蔵状態が変わったときには、使用者は、つまみを持ち、つまみ及び表示板を斜め上方へ持ち上げ、軸をホルダーの軸支持部から外し軸回動部に位置させ、表示板をホルダー内で時計方向或いは反時計方向に回転させることにより、表示板をホルダーから抜き出さなくとも、上部の切欠きに対応した表示部の表示を切り替えることができ、表示部の表示を貯蔵庫の貯蔵状態に合った表示に容易に変更することができる。
【００６３】
また、表示を変更した後、つまみを斜め下方に移動させ、軸を軸回動部から軸支持部に移動させることにより、軸は軸とほぼ同型状に形成された軸支持部によって支持され、軸の回動は軸支持部によって規制されるため、その後貯蔵庫を移動させるとき等に振動した場合にも、ホルダー内で表示板が横あるいは上下方向に摺動してずれたり、回転することを軸と軸支持部との簡単な構造にて極力防止でき、貯蔵庫内の状態を切欠き上方の表示部を介して確実に継続して表示することができる。
【図面の簡単な説明】
【図１】本願発明の第１の実施例を示す貯蔵庫の正面図である。
【図２】本願発明の第１の実施例を示す表示装置の概略構成図である。
【図３】本願発明の第１の実施例を示す表示装置を取り付けた状態の側面図である。
【図４】本願発明の第１の実施例を示す保持具の正面図である。
【図５】本願発明の第１の実施例を示す表示板の正面図である。
【図６】本願発明の第１の実施例を示す表示板の側面図である。
【図７】本願発明の第１の実施例を示す表示板による表示切り替え方法の説明図である。
【図８】本願発明の第１の実施例を示す表示板の抜き差し時のホルダーとの関係の説明図である。
【図９】本願発明の第２の実施例を示す貯蔵庫の正面図である。
【図１０】本願発明の第２の実施例を示す表示装置の概略構成図である。
【図１１】本願発明の第２の実施例を示す表示装置を取り付けた状態の側面図である。
【図１２】本願発明の第２の実施例を示す保持具の正面図である。
【図１３】本願発明の第２の実施例を示す表示板の正面図である。
【図１４】本願発明の第２の実施例を示す表示板の側面図である。
【図１５】本願発明の第２の実施例を示す表示板による表示切り替え方法の説明図である。
【図１６】本願発明の第２の実施例を示す表示板の抜き差し時のホルダーとの関係の説明図である。
【図１７】従来の表示装置を備えた貯蔵庫である可搬式貯蔵庫の正面図である。
【図１８】従来の表示装置の正面図である。
【図１９】従来の表示装置を取り付けた状態の側面図である。
【図２０】従来の表示装置の表示板表示面の変更方法の説明図である。
【図２１】従来の表示装置の表示板表示面の変更方法の説明図である。
【符号の説明】
１        貯蔵庫
２        断熱箱体
３      断熱扉
６      ホルダー（保持具）
７        表示板
７ａ、７ｂ、７ｃ、７ｄ  表示面
８      前板
１２、１４  側板（辺支持部）
１５    開口
２０    切欠き
２１      表示部
２２    スリット
２４、２６、２８  辺
３１    つまみ
３２    軸
５５    表示装置
５６    ホルダー（保持具）
５７    表示板
６５    切欠き
７０    軸回動部
７０Ａ  軸通過口
７１    軸支持部
７２    つまみ
７３    軸
【図１】
0003615340.tif 000002
【図２】
0003615340.tif 000003
【図３】
0003615340.tif 000004
【図４】
0003615340.tif 000005
【図５】
0003615340.tif 000006
【図６】
0003615340.tif 000007
【図７】
0003615340.tif 000008
【図８】
0003615340.tif 000009
【図９】
0003615340.tif 000010
【図１０】
0003615340.tif 000011
【図１１】
0003615340.tif 000012
【図１２】
0003615340.tif 000013
【図１３】
0003615340.tif 000014
【図１４】
0003615340.tif 000015
【図１５】
0003615340.tif 000016
【図１６】
0003615340.tif 000017
【図１７】
0003615340.tif 000018
【図１８】
0003615340.tif 000019
【図１９】
0003615340.tif 000020
【図２０】
0003615340.tif 000021
【図２１】
0003615340.tif 000022